(57)【要約】  冷蔵庫（１）は、第１ＬＥＤ、第２ＬＥＤ、画像取得装置、メモリ（２７）及び制御装置（１５）を備える。第１ＬＥＤ及び第２ＬＥＤは、それぞれ異なる波長帯の光を野菜室（６）に照射する。画像取得装置は、野菜室（６）の画像を取得する。メモリ（２７）に基準画像が記憶される。制御装置（１５）は、第１ＬＥＤ及び第２ＬＥＤを制御し、メモリ（２７）に記憶された基準画像の色と画像取得装置によって取得される画像の色との差を小さくする。
2017072954.tif 000002
【特許請求の範囲】
【請求項１】
第１波長帯の光を野菜室に照射する第１ＬＥＤと、
前記第１波長帯とは異なる第２波長帯の光を前記野菜室に照射する第２ＬＥＤと、
前記野菜室の画像を取得する画像取得装置と、
基準画像が記憶されたメモリと、
前記第１ＬＥＤ及び前記第２ＬＥＤを制御し、前記メモリに記憶された前記基準画像の色と前記画像取得装置によって取得される画像の色との差を小さくする制御装置と、
を備えた冷蔵庫。
【請求項２】
前記野菜室に設けられた色基準を更に備え、
前記画像取得装置によって取得された前記色基準の画像が前記基準画像として前記メモリに記憶され、
前記制御装置は、前記第１ＬＥＤ及び前記第２ＬＥＤを制御し、前記基準画像の色と前記画像取得装置によって取得される前記色基準の画像の色との差を小さくする
請求項１に記載の冷蔵庫。
【請求項３】
前記野菜室に下容器と上容器とが設けられ、
前記色基準は、前記上容器の下面に設けられた
請求項２に記載の冷蔵庫。
【請求項４】
前記制御装置は、前記第１ＬＥＤに流れる電流と前記第２ＬＥＤに流れる電流とを制御し、前記基準画像の色度と前記画像取得装置によって取得される画像の色度との差を小さくする請求項１から請求項３の何れか一項に記載の冷蔵庫。
【請求項５】
前記制御装置は、前記画像取得装置を制御し、前記基準画像の明度と前記画像取得装置によって取得される画像の明度との差を小さくする請求項１から請求項４の何れか一項に記載の冷蔵庫。
【請求項６】
前記画像取得装置はカメラであり、
前記制御装置は、前記カメラの露光時間又は絞り値を制御し、前記基準画像の明度と前記カメラによって取得される画像の明度との差を小さくする
請求項５に記載の冷蔵庫。
【請求項７】
前記第１波長帯及び前記第２波長帯とは異なる第３波長帯の光を前記野菜室に照射する第３ＬＥＤを更に備え、
前記制御装置は、前記第１ＬＥＤと前記第２ＬＥＤと前記第３ＬＥＤとを制御し、前記基準画像の色と前記画像取得装置によって取得される画像の色との差を小さくする
請求項１から請求項６の何れか一項に記載の冷蔵庫。
【請求項８】
前記第１ＬＥＤは、青色光を前記野菜室に照射する請求項１から請求項７の何れか一項に記載の冷蔵庫。
【発明の詳細な説明】
【技術分野】
【０００１】
この発明は、冷蔵庫に関する。
【背景技術】
【０００２】
特許文献１に、冷蔵庫が記載されている。特許文献１に記載された冷蔵庫は、カメラ及びライトを備える。特許文献１に記載された冷蔵庫では、カメラによって庫内を撮影する際にライトが点灯される。
【先行技術文献】
【特許文献】
【０００３】
【特許文献１】国際公開第２０１４／１４２１１９号
【発明の概要】
【発明が解決しようとする課題】
【０００４】
冷蔵庫内で使用するライトとしてＬＥＤを利用する場合、例えば、複数の色の光を混ぜることによって白色の光を作り出す。このため、ある色の光の量が低下すると、光の全体の色が変化してしまう。例えば、青色光を放つＬＥＤからは、紫外線が僅かに放たれる。紫外線は、ＬＥＤチップを封入する樹脂を劣化させ、透過率を低下させる。青色光の量のみが低下すると、全体として黄色味を帯びた光になる。このため、カメラによって野菜室の野菜を撮影すると、野菜の画像の色が実際の野菜の色とは異なる色になってしまう。【０００５】
この発明は、上述のような課題を解決するためになされた。この発明の目的は、取得する画像の色と野菜室にある野菜の実際の色との差を低減できる冷蔵庫を提供することである。
【課題を解決するための手段】
【０００６】
この発明に係る冷蔵庫は、第１波長帯の光を野菜室に照射する第１ＬＥＤと、第１波長帯とは異なる第２波長帯の光を野菜室に照射する第２ＬＥＤと、野菜室の画像を取得する画像取得装置と、基準画像が記憶されたメモリと、第１ＬＥＤ及び第２ＬＥＤを制御し、メモリに記憶された基準画像の色と画像取得装置によって取得される画像の色との差を小さくする制御装置と、を備える。
【発明の効果】
【０００７】
この発明に係る冷蔵庫は、第１ＬＥＤ、第２ＬＥＤ及び制御装置を備える。第１ＬＥＤ及び第２ＬＥＤは、野菜室に光を照射する。制御装置は、第１ＬＥＤ及び第２ＬＥＤを制御し、メモリに記憶された基準画像の色と画像取得装置によって取得される画像の色との差を小さくする。この発明に係る冷蔵庫であれば、取得する画像の色と野菜室にある野菜の実際の色との差を低減できる。
【図面の簡単な説明】
【０００８】
【図１】この発明の実施の形態１における冷蔵庫の断面を示す図である。
【図２】冷蔵庫に備えられた機器の電気的な接続を示す図である。
【図３】この発明の実施の形態１における冷蔵庫の動作を示すフローチャートである。
【図４】冷蔵庫が図３に示す動作を行う時のタイミングチャートを示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、この発明の実施の形態１における冷蔵庫１の断面を示す図である。図２は、冷蔵庫１に備えられた機器の電気的な接続を示す図である。先ず、図１及び図２を参照し、冷蔵庫１の全体構成について説明する。冷蔵庫１は、例えば本体２、扉８〜１１、操作パネル１２、制御装置１５、開閉センサ１６、圧縮機１７、冷却器１８、送風機１９、発光装置２０、カメラ２４及び標準色板２８を備える。
【００１１】
本体２に、食材等を入れるための複数の部屋が形成される。例えば、本体２に、冷蔵室３、切替室４、製氷室（図示せず）、冷凍室５及び野菜室６が形成される。本体２に形成された各部屋は、発泡ウレタン等の断熱材によって仕切られる。本体２に形成される部屋の数、種類及び配置は、図１に示す例に限定されない。
【００１２】
冷蔵室３は、例えば容量が一番大きい部屋である。冷蔵室３の中に、チルド室７を備えても良い。チルド室７は、肉及び魚を入れるための部屋である。冷蔵室３は、扉８によって開閉される。
【００１３】
操作パネル１２は、例えば扉８の前面に設けられる。操作パネル１２を他の扉或いは本体２に設けても良い。操作パネル１２は、例えば入力部１３と報知部１４とを備える。使用者は、入力部１３を操作して情報を入力する。例えば、使用者は、入力部１３を操作して、各部屋の温度を設定する。報知部１４からは、使用者に対する報知が行われる。例えば、ディスプレイ及びスピーカが報知部１４として操作パネル１２に備えられる。操作パネル１２は、制御装置１５に電気的に接続される。
【００１４】
切替室４は、温度の切り替えが可能な部屋である。例えば、制御装置１５に、切替室４の設定温度として複数の温度が予め登録される。使用者は、例えば操作パネル１２の入力部１３を操作して、切替室４の設定温度を選択する。切替室４は、扉９によって開閉される。製氷室は、氷を作り、保存する部屋である。製氷室は、切替室４の隣りに配置される。
【００１５】
冷凍室５は、食材等を冷凍するための部屋である。冷凍室５の温度は、例えば氷点下に保たれる。冷凍室５は、扉１０によって開閉される。
【００１６】
野菜室６は、野菜等を入れるための部屋である。野菜室６に、大型の飲料用の容器を入れても良い。例えば、野菜室６に、２Ｌのペットボトルを入れても良い。野菜室６は、扉１１によって開閉される。
【００１７】
扉８〜１１のそれぞれに開閉センサが設けられる。例えば、開閉センサ１６は、野菜室６の扉１１に設けられる。開閉センサ１６は、扉１１が開いていること或いは閉まっていることを検出する。開閉センサ１６が検出した結果は、制御装置１５に入力される。制御装置１５は、開閉センサ１６が検出した結果に基づいて、扉１１が開いている時間をカウントする。制御装置１５は、扉１１が閉まっている時間をカウントしても良い。制御装置１５は、上記カウントした時間を制御パラメータとして種々の制御に利用する。例えば、制御装置１５は、扉１１が第１基準時間以上開いていることを判定すると、操作パネル１２の報知部１４から報知を行う。例えば、制御装置１５は、報知部１４として備えられたブザー或いはチャイムを鳴らす。これにより、使用者に注意を促す。
【００１８】
圧縮機１７及び冷却器１８は、冷蔵庫１に備えられた冷凍サイクルの一部を構成する。圧縮機１７、冷却器１８及び送風機１９は、制御装置１５に電気的に接続される。送風機１９が動作すると、冷蔵庫１の内部に気流が発生する。これにより、冷却器１８によって冷やされた空気が送風ダクトを通り、各部屋に送られる。各部屋には、冷気を取り込むための吹出口が形成される。部屋に収納された食材等は、吹出口から部屋に取り込まれた冷気によって冷却される。各部屋で食材等を冷却することによって暖められた空気は、吸込口から戻りダクトに入る。戻りダクトを通過した空気は冷却器１８に至り、冷却器１８を通過することによって再び冷却される。
【００１９】
圧縮機１７、冷却器１８及び送風機１９の各動作は、制御装置１５によって制御される。例えば、本体２に形成された各部屋に温度センサ（図示せず）が設けられる。温度センサは、例えば温度検知用のサーミスタからなる。温度センサが検知した温度の情報は、制御装置１５に入力される。制御装置１５は、例えば温度センサから入力された情報及び操作パネル１２から入力された情報に基づいて、圧縮機１７、冷却器１８及び送風機１９の各動作を制御する。また、制御装置１５は、風路を開閉するダンパ（図示せず）の動作を制御する。
【００２０】
制御装置１５は、外部機器との間で情報の送受信を行っても良い。例えば、制御装置１５は、設定温度を変更するための信号を外部機器から受信する。制御装置１５は、庫内の状況を確認するための信号を外部機器から受信しても良い。外部機器には、例えばスマートフォンが含まれる。
【００２１】
発光装置２０は、野菜室６に光を照射する。発光装置２０は、例えば野菜室６に設けられる。発光装置２０は、野菜室６を形成する壁面のうち、奥側の壁面に設けられる。発光装置２０は、制御装置１５に電気的に接続される。発光装置２０は、制御装置１５によって制御される。発光装置２０は、例えば、ＬＥＤ２１、ＬＥＤ２２及びＬＥＤ２３を備える。ＬＥＤは、Ｌｉｇｈｔ  Ｅｍｉｔｔｉｎｇ  Ｄｉｏｄｅの略である。
【００２２】
ＬＥＤ２１は、青色光を放つ。例えば、ＬＥＤ２１は、４３０〜５００ｎｍの波長帯の光を放つ。ＬＥＤ２１からの青色光は野菜室６に照射される。ＬＥＤ２２は、緑色光を放つ。例えば、ＬＥＤ２２は、５００〜５５０ｎｍの波長帯の光を放つ。ＬＥＤ２２からの緑色光は野菜室６に照射される。ＬＥＤ２３は、赤色光を放つ。例えば、ＬＥＤ２３は、６００〜７８０ｎｍの波長帯の光を放つ。ＬＥＤ２３からの赤色光は野菜室６に照射される。
【００２３】
ＬＥＤ２１、ＬＥＤ２２及びＬＥＤ２３は、制御装置１５によって個別に制御可能である。ＬＥＤ２１、ＬＥＤ２２及びＬＥＤ２３の全てが同時に且つ定格で点灯すると、発光装置２０からは例えば白色光が放たれる。発光装置２０は、ＬＥＤ２１、ＬＥＤ２２及びＬＥＤ２３を１つのパッケージとして構成しても良い。例えば、発光装置２０として演色性に優れた３色ＬＥＤを採用しても良い。また、ＬＥＤ２１、ＬＥＤ２２及びＬＥＤ２３のそれぞれを１つのパッケージとして構成しても良い。
【００２４】
カメラ２４は、野菜室６を撮影する。カメラ２４は、野菜室６の画像を取得する画像取得装置の一例である。画像取得装置は、カメラ２４に限定されない。カメラ２４は、例えば野菜室６に設けられる。カメラ２４は、野菜室６を形成する壁面のうち、奥側の壁面に設けられる。カメラ２４は、制御装置１５に電気的に接続される。カメラ２４は、制御装置１５によって制御される。カメラ２４によって撮影された野菜室６の画像の情報は、制御装置１５に入力される。
【００２５】
発光装置２０は、例えば、野菜の概日リズムに合わせて点灯する。これにより、野菜室６に入れられている野菜の劣化を抑制することができる。例えば、青色光には、緑色の葉物野菜の気孔を開かせる作用がある。緑色光及び赤色光は、クロロフィルに吸収される。このため、緑色光及び赤色光には、光合成によって栄養成分を増量させる作用がある。発光装置２０を点灯させることにより、野菜の生合成反応を促進させることができる。また、発光装置２０は、例えば、カメラ２４によって野菜室６を撮影する際に点灯する。
【００２６】
制御装置１５は、ハードウェア資源として、例えば入出力インターフェース２５とプロセッサ２６とメモリ２７とを含む処理回路を備える。制御装置１５は、メモリ２７に記憶されたプログラムをプロセッサ２６によって実行することにより、各機能を実現する。
【００２７】
例えば、制御装置１５は、野菜の概日リズムに合わせて発光装置２０を点灯させる機能を有する。また、制御装置１５は、カメラ２４によって撮影された野菜室６の画像に基づいて、野菜の劣化を検知する機能を有する。例えば、制御装置１５は、野菜の色の変化を算出する。例えば、メモリ２７に、色リストが記憶される。制御装置１５は、カメラ２４によって撮影された野菜室６の画像の色と色リストに含まれる色とを比較して、野菜の色の変化を算出する。制御装置１５は、野菜の位置の変化を算出しても良い。更に、制御装置１５は、カメラ２４によって撮影された野菜室６の画像の色に基づいて、発光装置２０及びカメラ２４を調整する機能を有する。制御装置１５が有する機能はこれらの例に限定されない。
【００２８】
標準色板２８は、野菜室６に設けられる。標準色板２８は、カメラ２４によって撮影される。標準色板２８の表面は、白色であることが好ましい。但し、標準色板２８の表面は白色に限定されない。標準色板２８の表面は、例えば緑色或いは黄色であっても良い。標準色板２８の表面は、野菜室６に入れられる野菜の色と同じような色であっても良い。
【００２９】
例えば、野菜室６に下容器２９及び上容器３０が設けられる。下容器２９及び上容器３０は食材等を入れるための容器である。下容器２９の底面は、上容器３０の底面より低い位置に配置される。標準色板２８は、下容器２９及び上容器３０に食材等が入れられた状態でもカメラ２４によってその表面を撮影できる位置に配置される。例えば、標準色板２８は、上容器３０の下面に設けられる。
【００３０】
メモリ２７に、基準画像が記憶される。基準画像は、発光装置２０及びカメラ２４の調整が必要か否かを判定する際に使用される画像である。例えば、カメラ２４によって予め撮影された標準色板２８の画像が基準画像としてメモリ２７に記憶される。メモリ２７への基準画像の登録は、例えば冷蔵庫１の出荷前に行われる。
【００３１】
次に、図３及び図４も参照し、冷蔵庫１の動作について説明する。図３は、この発明の実施の形態１における冷蔵庫１の動作を示すフローチャートである。図４は、冷蔵庫１が図３に示す動作を行う時のタイミングチャートを示す図である。
【００３２】
冷蔵庫１では、各部屋を冷却するための運転が行われる。また、冷蔵庫１では、例えば野菜の概日リズムに合わせた発光装置２０の点灯制御が行われる。図４は、時刻ｔ０において、野菜の概日リズムに合わせた点灯制御が行われている例を示す。
【００３３】
制御装置１５は、開始条件が成立したか否かを判定する（Ｓ１）。開始条件は、発光装置２０及びカメラ２４を調整する必要があるか否かの判定を開始するための条件である。例えば、野菜室６の扉１１が開いた後に閉じると、開始条件が成立する。制御装置１５は、開閉センサ１６が検出した結果に基づいて扉１１の開閉を検出する。例えば、制御装置１５は、時刻ｔ１で扉１１が開いたことを検出する。制御装置１５は、時刻ｔ２で扉１１が閉じたことを検出する。制御装置１５は、扉１１が開いた後に閉じたことを検出すると、開始条件が成立したと判定する。開始条件として他の条件を採用しても良い。例えば、使用者が操作パネル１２の入力部１３に対して特定の操作を行った場合に開始条件が成立しても良い。
【００３４】
制御装置１５は、Ｓ１で開始条件が成立すると、発光装置２０及びカメラ２４の調整が必要であるか否かを判定する。調整が必要であれば、制御装置１５は、発光装置２０及びカメラ２４を制御し、ＬＥＤの点灯状態及びカメラ２４の撮影条件を変更する。具体的な制御内容は以下の通りである。
【００３５】
制御装置１５は、先ず、カメラ２４によって標準色板２８を撮影する（Ｓ２）。カメラ２４による撮影時、発光装置２０は点灯している。例えば、ＬＥＤ２１には電流値Ａ１の電流が流れている。ＬＥＤ２２及びＬＥＤ２３には定格の電流が流れている。
【００３６】
制御装置１５は、Ｓ２で取得した標準色板２８の画像（取得画像）の色を検出する（Ｓ３）。次に、制御装置１５は、Ｓ３で検出した取得画像の色とメモリ２７に記憶されている基準画像の色とを比較する。例えば、制御装置１５は、次式に基づいて色の比較を行う（Ｓ４）。
ＳＣ−ＳＣ＿ｉｎｉ＜ＳＣ＿ｌｉｍｉｔ    ・・・（１）
ここで、
ＳＣ            ：カメラ２４によって撮影された標準色板２８の画像の色
ＳＣ＿ｉｎｉ    ：基準画像の色
ＳＣ＿ｌｉｍｉｔ：差分限界値
である。差分限界値ＳＣ＿ｌｉｍｉｔは、メモリ２７に予め記憶される。
【００３７】
例えば、制御装置１５は、Ｓ３において標準色板２８の画像の色をＬ＊ａ＊ｂ＊表示系で数値化する。この場合、メモリ２７に記憶された基準画像の色はＬ＊ａ＊ｂ＊表示系で数値化されている。Ｌ＊ａ＊ｂ＊表示系では、色度はａ＊ｂ＊で表される。制御装置１５は、例えば、Ｓ４において次式が成立するか否かを判定する。
ＳＣ（ａ＊）−ＳＣ＿ｉｎｉ（ａ＊）＜ＳＣ＿ｌｉｍｉｔ（ａ＊）    ・・・（２）
ＳＣ（ｂ＊）−ＳＣ＿ｉｎｉ（ｂ＊）＜ＳＣ＿ｌｉｍｉｔ（ｂ＊）    ・・・（３）
取得画像のａ＊と基準画像のａ＊との差分がａ＊に対して設定された差分限界値ＳＣ＿ｌｉｍｉｔ（ａ＊）より小さければ、式２は成立する。取得画像のｂ＊と基準画像のｂ＊との差分がｂ＊に対して設定された差分限界値ＳＣ＿ｌｉｍｉｔ（ｂ＊）より小さければ、式３は成立する。
【００３８】
波長が短い青色光は樹脂の劣化を促進させる。一例として、ＬＥＤ２１に使用されている樹脂が劣化し、ＬＥＤ２１から野菜室６に照射される青色光の量が低下した場合を考える。ＬＥＤ２２及びＬＥＤ２３が劣化していなければ青色光の量のみが低下するため、標準色板２８は黄色味を帯びた色になる。ａ＊は、赤−緑軸方向の色度の値を表す。このため、ＬＥＤ２１からの光量が低下しても、取得画像のａ＊は基準画像のａ＊から変わらない。即ち、ＳＣ（ａ＊）−ＳＣ＿ｉｎｉ（ａ＊）＝０である。この場合、式２は成立する。
【００３９】
一方、ｂ＊は黄−青軸方向の色度の値を表す。このため、ＬＥＤ２１からの光量が低下すると、取得画像のｂ＊は基準画像のｂ＊に一致しなくなる。具体的には、ＬＥＤ２１に使用されている樹脂が劣化すると、取得画像のｂ＊は基準画像のｂ＊より大きな値になる。この差分が差分限界値ＳＣ＿ｌｉｍｉｔ（ｂ＊）より小さければ、式３は成立する。上記差分が差分限界値ＳＣ＿ｌｉｍｉｔ（ｂ＊）以上になると、式３は成立しなくなる。
【００４０】
制御装置１５は、式２及び式３の一方又は双方が成立しなければ、カメラ２４によって撮影される標準色板２８の画像の色度を基準画像の色度に合わせる必要があると判定する。制御装置１５は、例えば発光装置２０の各ＬＥＤに流れる電流を制御し、カメラ２４によって撮影される標準色板２８の画像の色度と基準画像の色度との差を小さくする。これにより、式２及び式３の双方を成立させる（Ｓ５）。上記例では、制御装置１５は、ＬＥＤ２２の電流値を定格からＡ２に下げる。制御装置１５は、ＬＥＤ２３の電流値を定格からＡ３に下げる。制御装置１５は、ＬＥＤ２１の電流値をＡ１から変化させない。
【００４１】
また、Ｌ＊ａ＊ｂ＊表示系では、明度はＬ＊で表される。制御装置１５は、例えば、Ｓ４において次式が成立するか否かを判定する。
ＳＣ（Ｌ＊）−ＳＣ＿ｉｎｉ（Ｌ＊）＜ＳＣ＿ｌｉｍｉｔ（Ｌ＊）    ・・・（４）
取得画像のＬ＊と基準画像のＬ＊との差分がＬ＊に対して設定された差分限界値ＳＣ＿ｌｉｍｉｔ（Ｌ＊）より小さければ、式４は成立する。
【００４２】
上述した例では、ＬＥＤ２１からの光量は樹脂の劣化により低下する。ＬＥＤ２２からの光量は電流値を下げたことにより低下する。同様に、ＬＥＤ２３からの光量は電流値を下げたことにより低下する。発光装置２０からの全体の光量が低下するため、取得画像の明度が低下する。制御装置１５は、式４が成立しなければ、カメラ２４によって撮影される標準色板２８の画像の明度を基準画像の明度に合わせる必要があると判定する。
【００４３】
制御装置１５は、例えばカメラ２４の露光時間を制御し、カメラ２４によって撮影される標準色板２８の画像の明度と基準画像の明度との差を小さくする。これにより、式４を成立させる（Ｓ６）。上記例では、制御装置１５は、カメラ２４の露光時間をＥ１からＥ２に変更する。Ｅ２はＥ１より長い時間である。これにより、カメラ２４による撮影時にカメラ２４に取り込まれる光量を多くする。露光時間の調整は、カメラ２４の焦点が合う範囲を小さくしたくない場合に有効である。
【００４４】
制御装置１５は、例えばカメラ２４の絞り値を制御し、カメラ２４によって撮影される標準色板２８の画像の明度と基準画像の明度との差を小さくしても良い。これにより、式４を成立させる（Ｓ６）。上記例では、制御装置１５は、カメラ２４の絞り値をＤ２からＤ１に変更する。Ｄ１はＤ２より小さい値である。これにより、カメラ２４による撮影時にカメラ２４に取り込まれる光量を多くする。絞り値の調整は、撮影時間を長くしたくない場合に有効である。
【００４５】
制御装置１５は、時刻ｔ６で式１が成立することを判定すると、野菜の劣化等を検知するための処理を開始する（Ｓ７）。この処理は、例えばカメラ２４によって撮影された野菜室６の画像に基づいて行われる。なお、制御装置１５は、式１が成立するまでにＳ２−Ｓ６に示す処理を繰り返し行っても良い。
【００４６】
上記構成を有する冷蔵庫１では、制御装置１５は、発光装置２０の各ＬＥＤを制御し、メモリ２７に記憶された基準画像の色と画像取得装置によって取得される画像の色との差を小さくする。例えば、制御装置１５は、発光装置２０の各ＬＥＤに流れる電流値を調整し、基準画像の色度と画像取得装置によって取得される画像の色度との差を小さくする。また、制御装置１５は、画像取得装置を制御し、メモリ２７に記憶された基準画像の明度と画像取得装置によって取得される画像の明度との差を小さくする。上記構成を有する冷蔵庫１であれば、画像取得装置によって取得される画像の色と野菜室６にある野菜の実際の色との差を低減できる。
【００４７】
本実施の形態では、画像取得装置によって取得される画像の色を基準画像の色に近づけるために、色度の差と明度の差の双方を小さくする例について説明した。制御装置１５は、色度の差のみを小さくするように発光装置２０の各ＬＥＤを制御しても良い。
【００４８】
本実施の形態では、画像取得装置によって取得される画像の明度（明るさ）を調整するためにカメラ２４の露光時間或いは絞り値を変更する例について説明した。制御装置１５は、明度を調整するためにカメラ２４の露光時間及び絞り値の双方を変更しても良い。また、制御装置１５は、明度を調整するために発光装置２０の各ＬＥＤを制御しても良い。
【００４９】
本実施の形態の標準色板２８は、画像取得装置によって取得された画像の色が基準画像の色と比較される色基準の一例である。色基準は、標準色板２８に限定されない。例えば、下容器２９の一部或いは上容器３０の一部を色基準として利用しても良い。
【００５０】
本実施の形態では、Ｌ＊ａ＊ｂ＊表示系を用いる例について説明した。画像の色を数値化するために他の表示系を用いても良い。例えば、ＸＹＺ表示系を用いても良い。
【００５１】
本実施の形態では、野菜の概日リズムに合わせた点灯制御を行う例について説明した。野菜室６に保存する野菜の種類に合わせて、点灯させるＬＥＤを選択しても良い。例えば、果菜類、根菜類及び紫キャベツといった野菜は、気孔がない或いは気孔が少ない。このような野菜ばかりが野菜室６に入れられている場合は、カメラ２４による撮影時以外はＬＥＤ２１を点灯させなくても良い。
【００５２】
青色光が植物に当たると、植物は、気孔を開いて生合成に必要な二酸化炭素を空気中から取り込む。しかし、光が当たり始めたと植物が認識した後であれば、植物に青色光を当てなくても良い。このため、葉物野菜ばかりが野菜室６に入れられている場合は、カメラ２４による撮影時以外はＬＥＤ２１を連続点灯させなくても良い。例えば、撮影時以外のＬＥＤ２１の点灯を１日１０分に制限しても良い。
【００５３】
ほうれん草及び小松菜といった薄い葉物野菜ばかりが野菜室６に入れられている場合は、葉の表面での吸収率が高い赤色光の量を多くしても良い。キャベツ及び白菜といった結球している野菜ばかりが野菜室６に入れられている場合は、野菜の内部まで光を到達させるために緑色光の量を多くしても良い。
【００５４】
本実施の形態では、１つの発光装置２０を野菜室６の奥側の壁面に設ける例について説明した。発光装置２０を別の位置に設けても良い。また、冷蔵庫１は、野菜室６に光を照射する複数の発光装置２０を備えても良い。かかる場合、例えば、第１の発光装置２０は野菜室６の奥側の壁面に設けられる。第２の発光装置２０は、カメラ２４から見て野菜に対して斜めに光が当たるように設けられる。例えば、第２の発光装置２０は、第１の発光装置２０より高い位置に配置される。
【００５５】
この場合、葉物野菜といった表面の色をはっきり確認したい野菜が野菜室６に入れられていれば、第１の発光装置２０を点灯させ、第２の発光装置２０を消灯させると良い。このような野菜の多くは冬場に収穫される。このため、冬場には第１の発光装置２０を点灯させ、第２の発光装置２０を消灯させても良い。一方、きゅうり及び茄子といった表面の凹凸をはっきり確認したい果菜類が野菜室６に入れられている場合は、第２の発光装置２０を点灯させ、第１の発光装置２０を消灯させると良い。これにより、きゅうり及び茄子等に対して例えば斜め４５度から光を当てることができ、取得した画像からピッティング等の低温障害を判別し易くできる。このような果菜類の多くは夏場に収穫される。このため、夏場には第２の発光装置２０を点灯させ、第１の発光装置２０を消灯させても良い。複数の発光装置２０を使い分けることによってＬＥＤの寿命を延ばすことができる。
【００５６】
本実施の形態では、ＬＥＤ２１、ＬＥＤ２２及びＬＥＤ２３がそれぞれ異なる波長帯の光（単色光）を照射する例について説明した。ＬＥＤ２１、ＬＥＤ２２及びＬＥＤ２３が照射する光の例は、上記例に限定されない。なお、ＬＥＤ２１が第１波長帯の光を照射し、ＬＥＤ２２が第２波長帯の光を照射する場合、第１波長帯の一部と第２波長帯の一部が同じでも、第１波長帯の全部と第２波長帯の全部が同じでなければ、第１波長帯と第２波長帯は異なる波長帯である。
【００５７】
本実施の形態では、発光装置２０が３つのＬＥＤを備える例について説明した。これは一例である。発光装置２０に備えられるＬＥＤは２つでも良い。発光装置２０は、４つ以上のＬＥＤを備えても良い。
【００５８】
本実施の形態のプロセッサ２６は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいう。メモリ２７として、半導体メモリ、磁気ディスク、フレキシブルディスク、光ディスク、コンパクトディスク、ミニディスク或いはＤＶＤを採用しても良い。半導体メモリには、ＲＡＭ、ＲＯＭ、フラッシュメモリ、ＥＰＲＯＭ及びＥＥＰＲＯＭ等が含まれる。
【００５９】
制御装置１５が有する各機能の一部又は全部をハードウェアによって実現しても良い。制御装置１５の機能を実現するハードウェアとして、単一回路、複合回路、プログラム化したプロセッサ、並列プログラム化したプロセッサ、ＡＳＩＣ、ＦＰＧＡ、又はこれらの組み合わせを採用しても良い。
【産業上の利用可能性】
【００６０】
この発明に係る冷蔵庫は、野菜室を備えた冷蔵庫に適用できる。
【符号の説明】
【００６１】
１  冷蔵庫、  ２  本体、  ３  冷蔵室、  ４  切替室、  ５  冷凍室、  ６  野菜室、  ７  チルド室、  ８〜１１  扉、  １２  操作パネル、  １３  入力部、  １４  報知部、  １５  制御装置、  １６  開閉センサ、  １７  圧縮機、  １８  冷却器、  １９  送風機、  ２０  発光装置、  ２１〜２３  ＬＥＤ、  ２４  カメラ、  ２５  入出力インターフェース、  ２６  プロセッサ、  ２７  メモリ、  ２８  標準色板、  ２９  下容器、  ３０  上容器
【図１】
2017072954.tif 000003
【図２】
2017072954.tif 000004
【図３】
2017072954.tif 000005
【図４】
2017072954.tif 000006
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
第１波長帯の光を野菜室に照射する第１ＬＥＤと、
前記第１波長帯とは異なる第２波長帯の光を前記野菜室に照射する第２ＬＥＤと、
前記野菜室の画像を取得する画像取得装置と、
基準画像が記憶されたメモリと、
前記野菜室に設けられた色基準と、
制御装置と、
を備え、
前記画像取得装置によって取得された前記色基準の画像が前記基準画像として前記メモリに記憶され、
前記制御装置は、前記第１ＬＥＤ及び前記第２ＬＥＤを制御し、前記メモリに記憶された前記基準画像の色と前記画像取得装置によって取得される前記色基準の画像の色との差を小さくする冷蔵庫。
【請求項２】
前記野菜室に下容器と上容器とが設けられ、
前記色基準は、前記上容器の下面に設けられた請求項１に記載の冷蔵庫。
【請求項３】
前記制御装置は、前記第１ＬＥＤに流れる電流と前記第２ＬＥＤに流れる電流とを制御し、前記基準画像の色度と前記画像取得装置によって取得される画像の色度との差を小さくする請求項１又は請求項２に記載の冷蔵庫。
【請求項４】
前記制御装置は、前記画像取得装置を制御し、前記基準画像の明度と前記画像取得装置によって取得される画像の明度との差を小さくする請求項１から請求項３の何れか一項に記載の冷蔵庫。
【請求項５】
前記画像取得装置はカメラであり、
前記制御装置は、前記カメラの露光時間又は絞り値を制御し、前記基準画像の明度と前記カメラによって取得される画像の明度との差を小さくする請求項４に記載の冷蔵庫。
【請求項６】
前記第１波長帯及び前記第２波長帯とは異なる第３波長帯の光を前記野菜室に照射する第３ＬＥＤを更に備え、
前記制御装置は、前記第１ＬＥＤと前記第２ＬＥＤと前記第３ＬＥＤとを制御し、前記基準画像の色と前記画像取得装置によって取得される前記色基準の画像の色との差を小さくする請求項１から請求項５の何れか一項に記載の冷蔵庫。
【請求項７】
前記第１ＬＥＤは、青色光を前記野菜室に照射する請求項１から請求項６の何れか一項に記載の冷蔵庫。
【手続補正２】
【補正対象書類名】明細書
【補正対象項目名】０００６
【補正方法】変更
【補正の内容】
【０００６】
この発明に係る冷蔵庫は、第１波長帯の光を野菜室に照射する第１ＬＥＤと、第１波長帯とは異なる第２波長帯の光を野菜室に照射する第２ＬＥＤと、野菜室の画像を取得する画像取得装置と、基準画像が記憶されたメモリと、野菜室に設けられた色基準と、制御装置と、を備える。画像取得装置によって取得された色基準の画像が基準画像としてメモリに記憶される。制御装置は、第１ＬＥＤ及び第２ＬＥＤを制御し、メモリに記憶された基準画像の色と画像取得装置によって取得される色基準の画像の色との差を小さくする。
【手続補正３】
【補正対象書類名】明細書
【補正対象項目名】０００７
【補正方法】変更
【補正の内容】
【０００７】
この発明に係る冷蔵庫は、第１ＬＥＤ、第２ＬＥＤ及び制御装置を備える。第１ＬＥＤ及び第２ＬＥＤは、野菜室に光を照射する。野菜室に色基準が設けられる。画像取得装置によって取得された色基準の画像が基準画像としてメモリに記憶される。制御装置は、第１ＬＥＤ及び第２ＬＥＤを制御し、メモリに記憶された基準画像の色と画像取得装置によって取得される色基準の画像の色との差を小さくする。この発明に係る冷蔵庫であれば、取得する画像の色と野菜室にある野菜の実際の色との差を低減できる。
【国際調査報告】
2017072954.tif 000007
2017072954.tif 000008
2017072954.tif 000009
2017072954.tif 000010